(57)【要約】  本発明が解決しようとする課題は、容易に持ち運び可能なカイロプラクティック用装置であって、熟練者でなくても、全身骨格中のどの骨に対しても、正確で効果的なアジャストメントを容易に行なうことができるカイロプラクティック用装置を提供することである。  解決手段は、カイロプラクティック用装置であって、（i）カイロプラクティック用アジャスター手段、（ii）上側表面と下側表面を有し、それら両表面の間を貫通する触診孔を有する触診用手段、（iii）該触診用手段の該上側表面に配置され、該上側表面をスライド可能なスライド手段であり、該カイロプラクティック用アジャスター手段の該先端部を作動可能に保持するスライド手段、（iv）該カイロプラクティック用アジャスター手段と該触診用手段とを相対運動可能に支持する支持手段、及び（v）該触診用手段と該支持手段からなる群より選ばれる少なくとも１つに取り付けられた、該カイロプラクティック用装置を使用者に保持するための保持手段、を含み、そして、該触診用手段の該触診孔は、使用者の触診用の指の先端部と該アジャスター手段の該先端部のいずれもが通過可能であるサイズを有し、該スライド手段に保持された該アジャスター手段の該先端部は、該スライド手段をスライドさせることにより、該触診用手段の該触診孔まで移動可能である、ことを特徴とするカイロプラクティック用装置である。
2011016150.tif 000002
【特許請求の範囲】
【請求項１】
カイロプラクティック用装置であって、
以下の手段（i）、（ii）、（iii）、（iv）及び（v）：
（i）カイロプラクティック用アジャスター手段であって、
該アジャスター手段の先端部を構成するスラストヘッドを有する長手方向に延びるスラスト部材、
該スラスト部材に長手方向前方へのスラストを与えるための駆動部材、及び
該駆動部材を作動させるための引き金部材、
を含むカイロプラクティック用アジャスター手段、
（ii）上側表面と下側表面を有し、それら両表面の間を貫通する触診孔を有する触診用手段、
（iii）該触診用手段の該上側表面に配置され、該上側表面をスライド可能なスライド手段であり、該カイロプラクティック用アジャスター手段の該先端部を作動可能に保持するスライド手段、
（iv）該カイロプラクティック用アジャスター手段と該触診用手段とを相対運動可能に支持する支持手段、及び
（v）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該スライド手段に保持された該アジャスター手段の該先端部は、該スライド手段をスライドさせることにより、該触診用手段の該触診孔まで移動可能である、
ことを特徴とするカイロプラクティック用装置。
【請求項２】
カイロプラクティック用装置であって、
以下の手段（i）、（ii）、（iii）、（iv）及び（v）：
（i）カイロプラクティック用アジャスター手段であって、
該アジャスター手段の先端部を構成するスラストヘッドを有する長手方向に延びるスラスト部材、
該スラスト部材に長手方向前方へのスラストを与えるための駆動部材、及び
該駆動部材を作動させるための引き金部材、
を含むカイロプラクティック用アジャスター手段、
（ii）上側表面と下側表面を有し、それら両表面の間を貫通する触診孔を有する触診用手段、
（iii）該触診用手段の該上側表面に下端を取り付けられた可撓性アーム手段であり、該カイロプラクティック用アジャスター手段の該先端部を作動可能に保持する可撓性アーム手段、
（iv）該カイロプラクティック用アジャスター手段と該触診用手段とを相対運動可能に支持する支持手段、及び
（v）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該アジャスター手段の該先端部は、該可撓性アーム手段を該先端部から取り除くことにより、該触診用手段の該触診孔まで移動可能である、
ことを特徴とするカイロプラクティック用装置。
【請求項３】
カイロプラクティック用装置であって、
以下の手段（i）、（ii）、（iii）及び（iv）：
（i）カイロプラクティック用アジャスター手段であって、
該アジャスター手段の先端部を構成するスラストヘッドを有する長手方向に延びるスラスト部材、
該スラスト部材に長手方向前方へのスラストを与えるための駆動部材、
該駆動部材を作動させるための引き金部材、及び
指係合用部材、
を含むカイロプラクティック用アジャスター手段、
（ii）上側表面と下側表面を有し、それら両表面の間を貫通する触診孔を有する触診用手段、
（iii）該カイロプラクティック用アジャスター手段と該触診用手段とを相対運動可能に支持する支持手段、及び
（iv）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該アジャスター手段の該先端部は、該アジャスター手段の該指係合用部材に指を係合させて該先端部を降下させることにより該触診用手段の該触診孔まで移動可能である、
ことを特徴とするカイロプラクティック用装置。
【請求項４】
該スライド手段の表面に配置された引き金手段を更に含み、該カイロプラクティック用アジャスター手段の該引き金部材が線状体を介して該引き金手段に連結されており、該引き金手段を所定位置まで動かすことにより該引き金部材を操作可能であることを特徴とする請求項１に記載のカイロプラクティック用装置。
【請求項５】
該触診用手段の該上側表面に配置され、該上側表面をスライド可能なスライド引き金手段を更に含み、該カイロプラクティック用アジャスター手段の該引き金部材が線状体を介して該スライド引き金手段に連結されており、該スライド引き金手段を所定位置までスライドさせることにより該引き金部材を操作可能であることを特徴とする請求項１〜３のいずれかに記載のカイロプラクティック用装置。
【請求項６】
該カイロプラクティック用アジャスター手段の該引き金部材に連結された有線又は無線通信手段を更に含み、該引き金部材が有線又は無線通信で操作可能であることを特徴とする請求項１〜３のいずれかに記載のカイロプラクティック用装置。
【請求項７】
該保持手段が使用者により把持可能な形状を有することを特徴とする請求項１〜６のいずれかに記載のカイロプラクティック用装置。
【請求項８】
該保持手段が、使用者の手又は手首に係合可能なベルト部材を有することを特徴とする請求項７に記載のカイロプラクティック用装置。
【請求項９】
該保持手段が指無し手袋形状であり、使用者の手を該保持手段に挿入することにより該カイロプラクティック用装置を使用者に保持可能であることを特徴とする請求項１〜６のいずれかに記載のカイロプラクティック用装置。
【発明の詳細な説明】
【技術分野】
【０００１】
本発明は、触覚による照準機能を有するカイロプラクティック用装置に関する。更に詳細には、本発明のカイロプラクティック用装置には構造が相互に若干異なる第１〜第３の３つの態様があり、本発明の第１態様は、カイロプラクティック用装置であって、（i）カイロプラクティック用アジャスター手段、（ii）上側表面と下側表面を有し、それら両表面の間を貫通する触診孔を有する触診用手段、（iii）該触診用手段の該上側表面に配置され、該上側表面をスライド可能なスライド手段であり、該カイロプラクティック用アジャスター手段の先端部を作動可能に保持するスライド手段、（iv）該カイロプラクティック用アジャスター手段と該触診用手段とを相対運動可能に支持する支持手段、及び（v）該触診用手段と該支持手段からなる群より選ばれる少なくとも１つに取り付けられた、該カイロプラクティック用装置を使用者に保持するための保持手段、を含み、そして、該触診用手段の該触診孔は、使用者の触診用の指の先端部と該アジャスター手段の先端部のいずれもが通過可能であるサイズを有し、該スライド手段に保持された該アジャスター手段の先端部は、該スライド手段をスライドさせることにより、該触診用手段の該触診孔まで移動可能である、ことを特徴とするカイロプラクティック用装置に関する。本発明の第２態様は、上記第１態様と実質的に同じ基本的構成を有するカイロプラクティック用装置であって、但し、第１態様における該スライド手段の代わりに、該触診用手段の該上側表面に下端を取り付けられた可撓性アーム手段であり、該アジャスター手段の該先端部を作動可能に保持する可撓性アーム手段を含むものであり、該アジャスター手段の該先端部は、該可撓性アーム手段を該先端部から取り除くことにより、該触診用手段の該触診孔まで移動可能である、ことを特徴とするカイロプラクティック用装置に関する。本発明の第３態様は、上記第１態様と実質的に同じ基本的構成を有するカイロプラクティック用装置であって、但し、第１態様における該スライド手段の代わりに、該アジャスター手段が指係合用部材を更に含み、該アジャスター手段の該先端部は、該アジャスター手段の該指係合用部材に指を係合させて該先端部を降下させることにより該触診用手段の該触診孔まで移動可能である、ことを特徴とするカイロプラクティック用装置に関する。触覚による照準機能を有する本発明のカイロプラクティック用装置を用いると、人体で最も鋭敏な指先で患者を触診してカイロプラクティックを施術すべき箇所を決定した後、その箇所に正確にスラストを加えることができるので、カイロプラクティックの施術をより効果的且つ効率的に行なうことができる。また、本発明のカイロプラクティック用装置は容易に持ち運び可能である。
【背景技術】
【０００２】
カイロプラクティック（chiropractic）とは、ギリシャ語のChiro「手」とPrakticos「技術」を組み合わせた、「手技」を意味する造語である。その名のとおり、カイロプラクティックにおいては、指頭や豆状骨などの手の各部位で患者に触診を行い、施術を行なうべき箇所を決定し、その箇所に手の各部位を用いてスラスト（thrust）（高速低振幅の衝撃）を加えたり、また、バネの弾性力や電磁力を利用する装置によりスラストを加えることなどにより、施術を行なってきた。カイロプラクティックにおいては、脊椎・腰椎・骨盤・四肢の関節などに適度なスラストを加えて、それらのズレを矯正することにより、種々の疾病に改善をもたらすものである（当業界では、上記のような骨のズレを、「サブラクセーション」（subluxation）や「ミスアラインメント」（misalignment）と称する）。スラストを加える患者の体表面の箇所に皮膚の弛みがあると、スラストが弛みに吸収されてしまい体内に十分伝達されないので、スラストを加える患者の体表面の箇所の皮膚を伸ばして弛みを除いた状態でスラストを加えるのが通例である。カイロプラクティックの分野でいう「スラスト」とは、あらゆる種類の「機械的圧力」（mechanical pressure）を含む用語であり、機械的圧力を加える方法としては、患者の体表面に施術者の指頭やロッド（プラスチック又は金属製）の先端などを置き、それらを巨視的に運動させて患者の体表面に圧力（スラスト）を加える場合（例えば、施術者の体を用いる場合や後述のいわゆる「アクティベータ」を用いる場合）もあるし、また、患者の体表面にロッドの先端を置き、該ロッドを巨視的には動かさずにその後端に機械的インパルス（mechanical impulse）を加えて、該ロッドの後端から先端に向かって伝達する圧力波としてのスラストを発生させ、それによって患者の体表面に圧力（スラスト）を加える場合（後述のいわゆる「アトラス・オーソゴナル・テクニック」で用いられる装置の場合）もある。【０００３】
カイロプラクティックにおける施術（スラストを加える操作）は、通常、「アジャストメント」と呼ばれるので、以下、屡々、施術を「アジャストメント」と称する。（当業界では、「アジャストメント」と同じ意味で、「マニピュレーション」という用語が用いられることもある。）また、カイロプラクティックにおいては、スラストを加える患者の体表面の箇所は、通常、「コンタクトポイント」と呼ばれるので、以下、屡々、スラストを加える患者の体表面の箇所を「コンタクトポイント」と称する。カイロプラクティックに関する一般的情報や上記の種々の用語については、例えば、非特許文献１（「カイロプラクティック概論」、鈴木正教 著、日本国 たにぐち書店 発行（１９８７年））、非特許文献２（「初めて学ぶカイロプラクティックスキル  〜基本原則からマニピュレーションスキルまで〜」、David Byfield 編著、大谷素明 監訳、日本国 医道の日本社 発行（１９９９年）、非特許文献３（「岡井ＤＣのテクニック・ブック 基本編  実践カイロプラクティック アジャストメント テクニック」、岡井健 著、日本国 日本医科学出版株式会社 発行（２００４年））などを参照されたい。特に「アジャストメント」という用語については、非特許文献１と３を参照されたい。【０００４】
示指や中指などの指を用いてアジャストメントを行なう場合は、手指や手首に負担がかかって、施術者（カイロプラクター）が障害を負ったり、また、スラストの方向が正確でなく、所望の効果が得られなかったりすることがある。大きな力のスラストを加える必要がある場合には、豆状骨（pisiform bone）を用いることが多いが、指頭に比べて感覚が鈍く、豆状骨を用いての正確なアジャストメントには熟練を要する。【０００５】
人力によるアジャストメントの問題を解決するために、機器（カイロプラクティック用装置）を用いてアジャストメントを行なうこともある。カイロプラクティック用装置では、バネの弾性力や電磁力を利用して患者にスラストを加える。従来のカイロプラクティック用装置は、例えば、米国特許出願公開第２００２／００８２５３２号公報（特許文献１）、米国特許第６,３７９,３７５号公報（特許文献２）、米国特許第６,６０２,２１１号公報（特許文献３）及び米国特許第６,８０５,７００号公報（特許文献４）に記載されている。上記のようなカイロプラクティック用装置を一般に「アクティベータ」と称し、これらの装置を用いるカイロプラクティック技法を、「アクティベータ・メソッド・カイロプラクティック」（Activator Methods Chiropractic Technique (AMCT)）と称することがある。（なお、当業界では、カイロプラクティック用装置を、「アジャストメント」に用いる機器という意味で、屡々「アジャスター」と称するので、本発明においても、屡々、カイロプラクティック用装置を「アジャスター」と称する。）【０００６】
上記のような従来のカイロプラクティック用装置によりスラストを加える場合は、装置を把持・操作するために片手を用いるので、別の手で患者に触れる。従って、この場合、アジャストメントを行う箇所の皮膚を伸ばして弛みを除く操作は、装置を把持していない片手のみで行なうので、両手で皮膚を伸ばして弛みを除く操作と比べて、容易ではない。また、指頭で触診してコンタクトポイントを決定した後、その指頭をコンタクトポイントから離し、視覚を頼りに装置の先端をコンタクトポイントに持ってくるので、触診して決定した正しいコンタクトポイントから装置の先端がわずかにずれることが多い。従って、上記のような従来のカイロプラクティック用装置の場合、熟練者であっても、正確で効果的なアジャストメントを行なうことは容易ではない。【０００７】
カイロプラクティックの一分野に「アトラス・オーソゴナル・テクニック」 (Atlas Orthogonal Technique) (AOT) がある。アトラス・オーソゴナル・テクニックでは、アジャストメントの対象が第一頚椎（「アトラス（atlas）」、即ちＣ１）のみに絞られている。アトラス・オーソゴナル・テクニックでは、第一頚椎の矯正専用の据付型の大型設備を用いる。この据付型の大型設備においては、カイロプラクティック用装置（アジャスター）は、それを安定に保持できる可動アームに取り付けられている。この大型設備を用いると、カイロプラクティック用装置を安定に保持できるので、熟練施術者であれば、第一頚椎の正確なアジャストメントを比較的容易に行なうことができる。しかし、この大型設備は、第一頚椎の矯正専用設備であり、第一頚椎以外の骨のアジャストメントには使用できない。【０００８】
従来技術の上記問題点を解決できるカイロプラクティック用装置は未だ開発されていない。【０００９】
【特許文献１】米国特許出願公開第２００２／００８２５３２号公報
【特許文献２】米国特許第６,３７９,３７５号公報
【特許文献３】米国特許第６,６０２,２１１号公報
【特許文献４】米国特許第６,８０５,７００号公報
【非特許文献１】「カイロプラクティック概論」、鈴木正教 著、日本国 たにぐち書店 発行（１９８７年）
【非特許文献２】「初めて学ぶカイロプラクティックスキル  〜基本原則からマニピュレーションスキルまで〜」、David Byfield 編著、大谷素明 監訳、日本国 医道の日本社 発行（１９９９年）
【非特許文献３】「岡井ＤＣのテクニック・ブック 基本編  実践カイロプラクティック アジャストメント テクニック、岡井健 著、日本国 日本医科学出版株式会社 発行（２００４年）
【発明の開示】
【発明が解決しようとする課題】
【００１０】
従って、従来技術の上記問題点を解決できるカイロプラクティック用装置、即ち、容易に持ち運び可能なカイロプラクティック用装置であって、熟練者でなくても、全身骨格中のどの骨に対しても、正確で効果的なアジャストメントを容易に行なうことができるカイロプラクティック用装置の開発が望まれていた。
【課題を解決するための手段】
【００１１】
このような状況下、本発明者が上記課題を解決するために鋭意研究を行なった結果、カイロプラクティック用装置であって、（i）カイロプラクティック用アジャスター手段、（ii）上側表面と下側表面を有し、それら両表面の間を貫通する触診孔を有する触診用手段、（iii）該触診用手段の該上側表面に配置され、該上側表面をスライド可能なスライド手段であり、該カイロプラクティック用アジャスター手段の該先端部を作動可能に保持するスライド手段、（iv）該カイロプラクティック用アジャスター手段と該触診用手段とを相対運動可能に支持する支持手段、及び（v）該触診用手段と該支持手段からなる群より選ばれる少なくとも１つに取り付けられた、該カイロプラクティック用装置を使用者に保持するための保持手段、を含み、そして、該触診用手段の該触診孔は、使用者の触診用の指の先端部と該アジャスター手段の該先端部のいずれもが通過可能であるサイズを有し、該スライド手段に保持された該アジャスター手段の該先端部は、該スライド手段をスライドさせることにより、該触診用手段の該触診孔まで移動可能である、ことを特徴とするカイロプラクティック用装置により上記課題を解決できることを見出した。また、本発明者は、本発明の上記態様（第１態様）で上記課題を解決できるだけでなく、用途や使用環境に応じて第１態様を若干改変して得られる下記の第２態様と第３態様のいずれによっても上記課題を解決できることを見いだした。本発明の第２態様は、上記第１態様と実質的に同じ基本的構成を有するカイロプラクティック用装置であって、但し、第１態様における該スライド手段の代わりに、該触診用手段の該上側表面に下端を取り付けられた可撓性アーム手段であり、該アジャスター手段の該先端部を作動可能に保持する可撓性アーム手段を含むものであり、該アジャスター手段の該先端部は、該可撓性アーム手段を該先端部から取り除くことにより、該触診用手段の該触診孔まで移動可能である、ことを特徴とするカイロプラクティック用装置である。本発明の第３態様は、上記第１態様と実質的に同じ基本的構成を有するカイロプラクティック用装置であって、但し、第１態様における該スライド手段の代わりに、該アジャスター手段が指係合用部材を更に含み、該アジャスター手段の該先端部は、該アジャスター手段の該指係合用部材に指を係合させて該先端部を降下させることにより該触診用手段の該触診孔まで移動可能である、ことを特徴とするカイロプラクティック用装置である。これらの知見に基づき、本発明を完成した。【００１２】
本発明の上記及びその他の諸目的、諸特徴並びに諸利益は、添付の図面を参照しながら述べる以下の詳細な説明及び請求の範囲の記載から明らかになる。
【発明の効果】
【００１３】
触覚による照準機能を有する本発明のカイロプラクティック用装置を用いると、人体で最も鋭敏な指先で患者を触診してカイロプラクティックの施術（アジャストメント）を行なうべき箇所を決定した後、その箇所に正確にスラストを加えることができるので、アジャストメントをより効果的且つ効率的に行なうことができる。本発明のカイロプラクティック用装置は容易に持ち運び可能である上、使用者の両手を患者に接触させた状態でアジャストメントできるので、熟練者でなくても、全身骨格中のどの骨に対しても、正確で効果的なアジャストメントを容易に行なうことができる。
【図面の簡単な説明】
【００１４】
【図１】本発明第１態様のカイロプラクティック用装置の第１の実施態様の斜視図である。
【図２】本発明第１態様のカイロプラクティック用装置の第１の実施態様の概略上面図である。
【図３】本発明第１態様のカイロプラクティック用装置の第２の実施態様を使用者に装着（保持）した状態の斜視図である。
【図４】本発明第１態様のカイロプラクティック用装置の第２の実施態様を使用者に装着（保持）した状態の下面図である。
【図５】本発明第１態様のカイロプラクティック用装置の第１の実施態様（図１と図２に示す）の操作方法を示す概略断面図である。
【図６】本発明第１態様のカイロプラクティック用装置の第２の実施態様（図３と図４に示す）の操作方法を示す概略断面図である。
【図７】本発明第１態様のカイロプラクティック用装置の第１の実施態様の触診用手段の概略斜視図である。
【図８】本発明第１態様の装置の第１の実施態様（図１と図２に示す）において使用できるスライド手段の１例の構造を示す概略図である。
【図９ａ】本発明第１態様の装置におけるカイロプラクティック用アジャスター手段の１例の内部構造を示す概略図である。
【図９ｂ】本発明第１態様の装置におけるカイロプラクティック用アジャスター手段の他の１例の内部構造を示す概略図である。
【図１０】本発明第１態様の装置の第２の実施態様（図３と図４に示す）に用いられる、触診用手段（ii）と支持手段（iv）とが一体的に形成された箱型の触診／支持手段（図１０の（ａ））と、箱型のスライド手段（図１０の（ｂ））の構造の概略図である。
【図１１】本発明第１態様の装置の第２の実施態様（図３と図４に示す）に用いられる、触診用手段（ii）と支持手段（iv）とが一体的に形成された箱型の触診／支持手段の内部での箱型のスライド手段４４のスライドの方向を示す概略図である。
【図１２】本発明第２態様のカイロプラクティック用装置の操作方法を示す概略断面図である。
【図１３】本発明第３態様のカイロプラクティック用装置の操作方法を示す概略断面図である。
【符号の説明】
【００１５】
１        本発明第１態様のカイロプラクティック用装置
２        カイロプラクティック用アジャスター手段
２Ａ      カイロプラクティック用アジャスター手段の先端部（スラストヘッド）
２Ｂ      引き金部材
２Ｃ      線状体
２Ｄ      引き金手段
２Ｅ      圧縮バネ
２Ｆ      スラスト駆動ブロック
２Ｇ      スラストロッド
２Ｈ      圧縮バネ
２Ｉ      圧縮バネ
２２２    カイロプラクティック用アジャスター手段
２２２Ｊ  指係合用部材
３        本発明第１態様のカイロプラクティック用装置の第１の実施態様の触診用手段
３Ａ      触診用手段３の触診孔
３Ｂ      触診用手段３の両側にある張り出し部
３Ｃ      ピボットネジ８を挿入するためのネジ孔
３Ｄ      安定用ロッド９の下側の水平部分を挿入するためのロッド挿入孔
４        本発明第１態様の装置の第１の実施態様のスライド手段
４Ａ      アジャスター手段２の先端部２Ａを作動可能に保持するための孔
４Ｂ      スライド手段４をスライドさせるための指を挿入するための孔
４Ｃ      線状体２Ｃを挿入して保持するためのガイド
４Ｄ      引き金手段２Ｄの端部を挿入して保持するためのガイド
４４４    可撓性アーム手段
４４４Ｅ  可撓性アーム手段のジョイント部
４４４Ｆ  可撓性アーム手段の保持部
４４４Ｇ  可撓性アーム手段の先端部
５        本発明第１態様の装置の第１の実施態様の支持手段
６        保持手段
６Ａ      紐状の連結手段
７        ピボットピン
８        ピボットネジ
９        安定用ロッド
９Ａ      安定用ナット
１０      安定用ロッド９を保持するためのベルト
２２Ｄ    引き金手段
３３      箱型の触診／支持手段
３３Ａ    箱型の触診／支持手段３３の触診孔
３３Ｂ    アジャスター手段２を収容する円筒状部分
３３Ｃ    アジャスター手段２を保持するための保持用ネジ
３３Ｄ    円環形突起
４４      箱型のスライド手段
Ｆ        使用者の指
Ｐ        患者の体表面
【発明を実施するための最良の形態】
【００１６】
本発明において最も代表的な本発明第１態様によれば、カイロプラクティック用装置であって、
以下の手段（i）、（ii）、（iii）、（iv）及び（v）：
（i）カイロプラクティック用アジャスター手段であって、
該アジャスター手段の先端部を構成するスラストヘッドを有する長手方向に延びるスラスト部材、
該スラスト部材に長手方向前方にへのスラストを与えるための駆動部材、及び
該駆動部材を作動させるための引き金部材、
を含むカイロプラクティック用アジャスター手段、
（ii）上側表面と下側表面を有し、それら両表面の間を貫通する触診孔を有する触診用手段、
（iii）該触診用手段の該上側表面に配置され、該上側表面をスライド可能なスライド手段であり、該カイロプラクティック用アジャスター手段の該先端部を作動可能に保持するスライド手段、
（iv）該カイロプラクティック用アジャスター手段と該触診用手段とを相対運動可能に支持する支持手段、及び
（v）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該スライド手段に保持された該アジャスター手段の該先端部は、該スライド手段をスライドさせることにより、該触診用手段の該触診孔まで移動可能である、
ことを特徴とするカイロプラクティック用装置が提供される。【００１７】
次に、本発明の理解を容易にするために、本発明の基本的特徴及び好ましい諸態様を列挙する。【００１８】
１．カイロプラクティック用装置であって、
以下の手段（i）、（ii）、（iii）、（iv）及び（v）：
（i）カイロプラクティック用アジャスター手段であって、
該アジャスター手段の先端部を構成するスラストヘッドを有する長手方向に延びるスラスト部材、
該スラスト部材に長手方向前方にへのスラストを与えるための駆動部材、及び
該駆動部材を作動させるための引き金部材、
を含むカイロプラクティック用アジャスター手段、
（ii）上側表面と下側表面を有し、それら両表面の間を貫通する触診孔を有する触診用手段、
（iii）該触診用手段の該上側表面に配置され、該上側表面をスライド可能なスライド手段であり、該カイロプラクティック用アジャスター手段の該先端部を作動可能に保持するスライド手段、
（iv）該カイロプラクティック用アジャスター手段と該触診用手段とを相対運動可能に支持する支持手段、及び
（v）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該スライド手段に保持された該アジャスター手段の該先端部は、該スライド手段をスライドさせることにより、該触診用手段の該触診孔まで移動可能である、
ことを特徴とするカイロプラクティック用装置（本発明第１態様）。【００１９】
２．カイロプラクティック用装置であって、
以下の手段（i）、（ii）、（iii）、（iv）及び（v）：
（i）カイロプラクティック用アジャスター手段であって、
該アジャスター手段の先端部を構成するスラストヘッドを有する長手方向に延びるスラスト部材、
該スラスト部材に長手方向前方へのスラストを与えるための駆動部材、及び
該駆動部材を作動させるための引き金部材、
を含むカイロプラクティック用アジャスター手段、
（ii）上側表面と下側表面を有し、それら両表面の間を貫通する触診孔を有する触診用手段、
（iii）該触診用手段の該上側表面に下端を取り付けられた可撓性アーム手段であり、該カイロプラクティック用アジャスター手段の該先端部を作動可能に保持する可撓性アーム手段、
（iv）該カイロプラクティック用アジャスター手段と該触診用手段とを相対運動可能に支持する支持手段、及び
（v）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該アジャスター手段の該先端部は、該可撓性アーム手段を該先端部から取り除くことにより、該触診用手段の該触診孔まで移動可能である、
ことを特徴とするカイロプラクティック用装置（本発明第２態様）。【００２０】
３．カイロプラクティック用装置であって、
以下の手段（i）、（ii）、（iii）及び（iv）：
（i）カイロプラクティック用アジャスター手段であって、
該アジャスター手段の先端部を構成するスラストヘッドを有する長手方向に延びるスラスト部材、
該スラスト部材に長手方向前方へのスラストを与えるための駆動部材、
該駆動部材を作動させるための引き金部材、及び
指係合用部材、
を含むカイロプラクティック用アジャスター手段、
（ii）上側表面と下側表面を有し、それら両表面の間を貫通する触診孔を有する触診用手段、
（iii）該カイロプラクティック用アジャスター手段と該触診用手段とを相対運動可能に支持する支持手段、及び
（iv）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該アジャスター手段の該先端部は、該アジャスター手段の該指係合用部材に指を係合させて該先端部を降下させることにより該触診用手段の該触診孔まで移動可能である、
ことを特徴とするカイロプラクティック用装置（本発明第３態様）。【００２１】
４．該スライド手段の表面に配置された引き金手段を更に含み、該カイロプラクティック用アジャスター手段の該引き金部材が線状体を介して該引き金手段に連結されており、該引き金手段を所定位置まで動かすことにより該引き金部材を操作可能であることを特徴とする前項１に記載のカイロプラクティック用装置。【００２２】
５．該触診用手段の該上側表面に配置され、該上側表面をスライド可能なスライド引き金手段を更に含み、該カイロプラクティック用アジャスター手段の該引き金部材が線状体を介して該スライド引き金手段に連結されており、該スライド引き金手段を所定位置までスライドさせることにより該引き金部材を操作可能であることを特徴とする前項１〜３のいずれかに記載のカイロプラクティック用装置。【００２３】
６．該カイロプラクティック用アジャスター手段の該引き金部材に連結された有線又は無線通信手段を更に含み、該引き金部材が有線又は無線通信で操作可能であることを特徴とする前項１〜３のいずれかに記載のカイロプラクティック用装置。【００２４】
７．該保持手段が使用者により把持可能な形状を有することを特徴とする前項１〜６のいずれかに記載のカイロプラクティック用装置。【００２５】
８．該保持手段が、使用者の手又は手首に係合可能なベルト部材を有することを特徴とする前項７に記載のカイロプラクティック用装置。【００２６】
９．該保持手段が指無し手袋形状であり、使用者の手を該保持手段に挿入することにより該カイロプラクティック用装置を使用者に保持可能であることを特徴とする前項１〜６のいずれかに記載のカイロプラクティック用装置。【００２７】
以下、本発明について添付の図面に参照して詳細に説明する。
本発明の上記第１〜第３の態様は、構造が相互に若干異なるだけである。本発明の第１〜第３の態様のうち、第１態様が最も代表的な態様である。まず第１態様について詳しく述べてから、第１態様との違いに重点を置いて第２態様と第３態様を説明する。【００２８】
（本発明の第１態様）
本発明第１態様のカイロプラクティック用装置は様々な形態で実施可能である。
以下に、本発明第１態様の代表的な２つの実施態様を例にとって、発明のカイロプラクティック用装置を詳しく説明する。【００２９】
図１に、本発明第１態様のカイロプラクティック用装置の第１の実施態様の斜視図を示す。図２に、本発明のカイロプラクティック用装置の第１の実施態様の概略上面図を示す。【００３０】
図３に、本発明第１態様のカイロプラクティック用装置の第２の実施態様を使用者に装着（保持）した状態の斜視図を示す。図４に、本発明第１態様のカイロプラクティック用装置の第２の実施態様を使用者に装着（保持）した状態の下面図を示す。【００３１】
本発明第１態様のカイロプラクティック用装置の第１の実施態様と第２の実施態様とでは操作方法が若干異なる。まず、両者の操作方法を説明する。【００３２】
本発明第１態様のカイロプラクティック用装置１の第１の実施態様（図１と図２に示す）の操作方法を図５に示す。図５の（ａ）に示されるように、本発明第１態様のカイロプラクティック用装置１の第１の実施態様においては、まず、触診用手段３の触診孔３Ａに通した使用者の指Ｆの先端部で患者の体表面Ｐを触診して、アジャストメントを行う箇所を決定する。次に、図５の（ｂ）に示されるように、プレート形状のスライド手段４（アジャスター手段２の先端部を保持する）を使用者の指Ｆで矢印の方向にスライドさせて、図５の（ｃ）に示されるように、アジャスター手段２の先端部を触診用手段３の触診孔３Ａまで移動させる。その後、アジャスター手段２を作動させる。（図２では、アジャスター手段２の引き金部材２Ｂは省略してある。）指Ｆは、拇指、示指、中指、薬指および小指のいずれでもよい。【００３３】
本発明第１態様のカイロプラクティック用装置１の第２の実施態様（図３と図４に示す）の操作方法を図６に示す。図３、図４、図６に示すように、本発明第１態様のカイロプラクティック用装置の第２の実施態様においては、触診用手段（ii）と支持手段（iv）とが一体的に形成されており、箱型の触診／支持手段３３を構成している。箱型の触診／支持手段３３はその底部に触診孔３３Ａを有する（図４参照）。スライド手段（iii）も箱型の手段４４となっており、箱型のスライド手段４４は、その上部外表面でアジャスター手段２の先端部を保持する。箱型のスライド手段４４が、箱型の触診／支持手段３３の底部の内表面（触診用手段（ii）の上側表面）をスライドするように構成されている。図３と図６に示すように、箱型の触診／支持手段３３の上部壁には、アジャスター手段２を収容する円筒状部分３３Ｂがあり、この円筒状部分３３Ｂの箱型の触診／支持手段３３の上部壁に対する角度が、蛇腹構造などにより調節可能であり、この角度を調節することにより、アジャスター手段２を作動させる際のスラスト方向の患者の体表面に対する角度を調節することができる。図３においては、円筒状部分３３Ｂの箱型の触診／支持手段３３の上部壁に対する角度がおよそ４５ーに調節してある状態を示している。円筒状部分３３Ｂの上端部は、アジャスター手段２を保持するための保持用ネジ３３Ｃを有する。【００３４】
図６の（ａ）に示されるように、本発明第１態様のカイロプラクティック用装置１の第２の実施態様（図３と図４に示す）においては、まず、触診／支持手段３３の触診孔３３Ａに通した使用者の指Ｆの先端部で患者の体表面Ｐを触診して、アジャストメントを行う箇所を決定してから、箱型のスライド手段４４（その上部外表面でアジャスター手段２の先端部を保持する）を、使用者の指Ｆで矢印の方向にスライドさせて、図６の（ｂ）に示されるように、アジャスター手段２の先端部を触診／支持手段３３の触診孔３３Ａまで移動させる。その後、アジャスター手段２を作動させる。指Ｆは、拇指、示指、中指、薬指および小指のいずれでもよい。【００３５】
本発明第１態様のカイロプラクティック用装置の第１の実施態様と第２の実施態様を、この順に詳しく説明する。【００３６】
図１と図２に示されるように、本発明第１態様の装置１の第１の実施態様においては、概ねプレート状の触診用手段３の上側表面にプレート状のスライド手段４がスライド可能に配置されており、スライド手段４はカイロプラクティック用アジャスター手段２の先端部２Ａを作動可能に保持している。スライド手段４に保持されたアジャスター手段２の先端部２Ａは、スライド手段４を装置１の後方（即ち、図１の右奥の方向であり、図２の右方向）にスライドさせることにより、図７に示される触診用手段３の触診孔３Ａまで移動可能である。触診用手段３とスライド手段４とカイロプラクティック用アジャスター手段２とを、三角形状の２個の板状部材からなる支持手段５が両側から挟みこむように配置されている。支持手段５とアジャスター手段２は、各々の上端部近くで２個のピボットピン７により、ピボット可能に相互に取り付けられている。支持手段５と触診用手段３は、支持手段５の下側前方端部で２個のピボットネジ８により、ピボット可能に相互に取り付けられている。この２個のピボットネジ８により、支持手段５の触診用手段３に対する角度が調節可能であり、従って、支持手段５に支持されたアジャスター手段２の触診用手段３に対する角度が調節可能である。支持手段５と触診用手段３は、支持手段５の下側後方端部付近で、２個のベルト１０とそれらでそれぞれ保持された２本の安定用ロッド９、及び２本の安定用ロッド９がそれぞれネジ式に挿入してある２個の安定用ナット９Ａにより、相互に係合されている（安定用ロッド９の表面のネジ山は図示しない）。安定用ナット９Ａを回転させることによりその位置を上下動可能であり、安定用ナット９Ａがベルト１０と係合することで、支持手段５を上下方向の所望の位置で保持することができる。支持手段５と触診用手段３がピボットネジ８によりピボットした際に、両者の相対的位置関係が、上記２本の安定用ロッド９と２個の安定用ナット９Ａにより容易に保持できる。このようにして、支持手段５により、カイロプラクティック用アジャスター手段２と触診用手段３とが相対運動可能に支持されている。カイロプラクティック用アジャスター手段２の引き金部材２Ｂが線状体２Ｃを介して引き金手段（図示しない）に連結されている。本発明における「線状体」とは、「長手方向の寸法／長手方向に垂直な方向の寸法」の比が非常に大きい形状を有する物体を意味し、一般に「糸」、「紐」、「ワイヤー」などと称される物体を総称する用語である。Ｕ字形（把持可能な形状の１例である）の保持手段６が支持手段５の後端部に取り付けられている。保持手段６は、触診用手段３と支持手段５からなる群より選ばれる少なくとも１つに取り付けられていればよい。本発明第１態様の装置を使用する際には、支持手段５を構成する三角形状の２個の板状部材の間に、図２に示す矢印の方向に使用者の触診用の指Ｆを挿入し、残りの指と手掌で保持手段６を把持することにより、本発明第１態様のカイロプラクティック用装置を使用者に保持することができる。保持手段６が、使用者の手又は手首に係合可能なベルト部材（図示しない）を有してもよい。ベルト部材の種類は特に限定されず、服飾品としてのベルトと同様の構造と使用方法の直線状構造体でもよいし、輪ゴムのような環状構造体でもよく、ベルト部材の材料は、可撓性材料（布、ゴム、可撓性プラスチックなど）であることが好ましい。本発明第１態様のカイロプラクティック用装置１の第１の実施態様において、上記Ｕ字形の保持手段６以外の保持手段を用いることもできる。例えば、本発明第１態様の装置１の第２の実施態様について下記する指無し手袋形状の保持手段６を用いることもできる。【００３７】
図７に示されるように、触診用手段３は、その上側表面と下側表面の間を貫通する触診孔３Ａを有する。触診用手段３はまた、その両側にある張り出し部３Ｂに、触診用手段３と支持手段５とを相互に取り付けるためのピボットネジ８を挿入するためのネジ孔３Ｃを２個有している。触診用手段３はまた、その後方端部近くに、２本の安定用ロッド９の下側の水平部分を挿入するためのロッド挿入孔３Ｄを２個有する（図７においては、２個のロッド挿入孔３Ｄのうち１個は背後に隠れている状態である）。【００３８】
触診用手段３の触診孔３Ａは、使用者の触診用の指Ｆの先端部とアジャスター手段２の先端部２Ａのいずれもが通過可能であるサイズを有する。触診用手段３の触診孔３Ａのサイズは使用者の触診用の指Ｆの先端部とアジャスター手段２の先端部２Ａのいずれもが通過可能である限り特に限定されない。【００３９】
より具体的には、触診用手段３の触診孔３Ａのサイズは以下の通りである。触診用手段３の触診孔３Ａは、それが含み得る最大の円の直径が通常、３ｍｍ〜５０ｍｍの範囲、好ましくは３ｍｍ〜２５ｍｍの範囲であるサイズを有する。（以下、屡々、「触診孔３Ａが含み得る最大の円の直径」を単に「触診孔３Ａの直径」と称する。）触診用手段３の触診孔３Ａの直径の下限は、より好ましくは、５ｍｍであり、更に好ましくは８ｍｍである。触診用手段３の触診孔３Ａの直径の上限は、より好ましくは１７ｍｍであり、更に好ましくは１２ｍｍである。【００４０】
通常、アジャスター手段２の先端部２Ａよりも、使用者の触診用の指Ｆの先端部の方が太いので、触診孔３Ａの直径は、使用者の触診用の指Ｆの先端部の太さによって決めることが望ましい。触診孔３Ａの直径は、使用者の触診用の指Ｆの先端部の最大径と同じかそれより少し（約１ｍｍ〜約３ｍｍ）小さいことが好ましい。（触診用の指Ｆの先端部には或る程度の柔軟性があるので、触診用の指Ｆの先端部の最大径より少し小さい直径の触診孔３Ａでも指Ｆの先端部は通過可能である。）参考までに述べると、アトラス・オーソゴナル・テクニックで用いるアジャスターのスラストヘッドの先端部の直径は通常約３ｍｍであり、一般に、それ以外の用途のアジャスター（即ち、持ち運び可能なアジャスター）のスラストヘッドの先端の直径は約１０ｍｍから約１５ｍｍの範囲である。一方、使用者の触診用の指Ｆの先端部の最大径は、約２５ｍｍ以下であり、通常約１０ｍｍ〜約１５ｍｍの範囲である。なお、触診孔３Ａの直径が、使用者の触診用の指Ｆの先端部の最大径よりも大きい場合（即ち、触診中に、使用者の触診用の指Ｆの先端部と触診孔３Ａの縁周部との間に隙間ができる場合）は、触診用の指の先端部を、触診孔３Ａが含み得る最大の円の中心部分に位置させた状態で触診を行ない、スラストを加える患者の体表面の箇所を該円の中心部分で決定することが好ましい。触診の後、アジャスター手段２の先端部２Ａを触診孔３Ａに移動させる際に、該先端部２Ａを触診孔３Ａが含み得る最大の円の中心部分に置くことより、より正確なアジャストメントが可能となる。【００４１】
触診用手段３の触診孔３Ａの形状は、特に限定されない。触診孔３Ａの形状の例としては、円形、楕円形、多角形（例えば、正三角形などの三角形、正方形などの四角形、正五角形などの五角形）、上記以外の任意の閉曲線で囲まれた形状などがある。【００４２】
図８に、図１と図２に示される本発明第１態様の装置の第１の実施態様において使用できるスライド手段４の１例の構造を示す（図８の（ｂ）と（ｃ））。図８の（ｂ）と（ｃ）のスライド手段４は、アジャスター手段２の先端部２Ａを作動可能に保持するための孔４Ａと、スライド手段４をスライドさせるための指を挿入するための孔４Ｂを有し、更に、アジャスター手段２の引き金部材２Ｂを引き金手段２Ｄに連結する線状体２Ｃを挿入して保持するためのガイド４Ｃと、引き金手段２Ｄの端部を挿入して保持するためのガイド４Ｄとを有する。図８の（ｂ）と（ｃ）のスライド手段４を用いる際の操作方法としては、スライド手段４の孔４Ｂに使用者が指を挿入してスライド手段４をスライドさせてアジャスター手段２の先端部２Ａを触診用手段３の触診孔３Ａまで移動させた後、使用者が指を引き金手段２Ｄに係合させて引っ張ることにより、線状体２Ｃを介してアジャスター手段２の引き金部材２Ｂを操作する。従って、この場合においては、本発明第１態様のカイロプラクティック用アジャスター装置が、スライド手段４の表面に配置された引き金手段２Ｄを更に含み、カイロプラクティック用アジャスター手段２の引き金部材２Ｂが線状体２Ｃを介して引き金手段２Ｄに連結されており、引き金手段２Ｄを所定位置まで動かすことにより引き金部材２Ｂを操作可能であることを特徴とするカイロプラクティック用装置が提供される。引き２金手段２Ｄに係合させる指は、触診用の指Ｆと同じでもよいし異なっていてもよい。【００４３】
図１に示される本発明第１態様の装置の第１の実施態様には、図８の（ｂ）と（ｃ）のタイプのスライド手段４を用いるように描かれているが、図８の（ａ）のタイプのスライド手段４（ガイド４Ｃとガイド４Ｄを有しない）を用いても本発明第１態様の装置の第１の実施態様を実施することは可能である。図８の（ａ）のタイプのスライド手段４を用いる場合は、例えば、カイロプラクティック用アジャスター手段２の引き金部材２Ｂに連結された有線又は無線通信手段を更に含み、引き金部材２Ｂが有線又は無線通信で操作可能であるように本発明第１態様の装置を構成すればよい。引き金部材２Ｂを有線又は無線通信で操作するためのスイッチ（電子的引き金手段）は、任意の位置に設けることができる。例えば、このスイッチ（電子的引き金手段）を足踏み式装置として構成して、使用者の足でスイッチ操作することもできる。あるいは、このスイッチ（電子的引き金手段）をスライド手段４や触診用手段３に組み込むこともできる。【００４４】
アジャスター手段２の引き金部材２Ｂを有線又は無線通信で操作するために用いられる機器（即ち、引き金部材２Ｂに連結される有線又は無線通信手段、及びそれと共に用いるのスイッチ（電子的引き金手段））については、種々の業界で周知の電気・電子工学技術に基づいて容易に作成することができ、また、市販品を容易に入手できる。有線通信で操作するために用いることのできる市販の機器としては、例えば、ＴＧＡ−mini（日本国 トキ・コーポレーション株式会社 製)などを挙げることができる。有線又は無線通信で操作するために用いることのできる機器の設計・作成を委託できる業者としては、例えば、日本国 株式会社 小杉技研、日本国 大阪自動電気株式会社、日本国 アイテック株式会社などを挙げることができる。【００４５】
カイロプラクティック用アジャスター手段２は、該アジャスター手段の先端部を構成するスラストヘッドを有する長手方向に延びるスラスト部材、該スラスト部材に長手方向前方へのスラストを与えるための駆動部材、及び該駆動部材を作動させるための引き金部材、を含むカイロプラクティック用アジャスター手段である。本発明におけるスラスト部材に与える「長手方向前方へのスラスト」とは、駆動部材がスラスト部材を長手方向前方に押出す場合（即ち、スラスト部材が巨視的に動く場合）と、駆動部材がスラスト部材の後端に機械的インパルスを加えて、スラスト部材の後端から長手方向前方に伝達する圧力波としてのスラストを発生させる場合（即ち、スラスト部材が巨視的に動かず、圧力波だけがスラスト部材の後端から長手方向前方に伝達する場合）の両方を含む用語である。本発明第１態様のカイロプラクティック用装置に用いられるカイロプラクティック用アジャスター手段２は、例えば、いわゆる「アクティベータ」などの、持ち運び可能な従来のカイロプラクティック用装置と、基本構造・作動機構・機能が実質的に同じものでよい。従って、カイロプラクティック用アジャスター手段２は、例えば、上記特許文献１〜４のいずれかに開示されるような従来のカイロプラクティック用装置の設計情報に基づいて、同様の材料を用いて作成することができる。【００４６】
カイロプラクティック用アジャスター手段２の１例の内部構造の概略図を図９ａに示す。図９ａに示すカイロプラクティック用アジャスター手段２は、スラストヘッド２Ａ、引き金部材２Ｂ、圧縮バネ２Ｅ、スラスト駆動ブロック２Ｆ、スラストロッド２Ｇ、圧縮バネ２Ｈを含む。引き金部材２Ｂは圧縮バネ２Ｉを含む。圧縮バネ２Ｅとスラスト駆動ブロック２Ｆが、スラスト部材に長手方向前方へのスラストを与えるための駆動部材を構成する。スラストロッド２Ｇとスラストヘッド２Ａは一体化されており、スラスト部材を構成する。圧縮バネ２Ｈは、アジャスター手段２の先端部２Ａを対象物（患者の体表面など）に置いた際に縮んでクッションの役割を果たす。即ち、例えば、図５と図６に示されるアジャスター手段２の先端部２Ａの下降動作は、たとえアジャスター手段２の全体が固定してあっても、圧縮バネ２Ｈのクッション作用によりスラスト部材（スラストロッド２Ｇとスラストヘッド２Ａからなる）だけが動くことで実現できる。図９ａに示すアジャスター手段２においては、圧縮バネ２Ｅとスラスト駆動ブロック２Ｆからなる駆動部材によって、スラストロッド２Ｇとスラストヘッド２Ａからなるスラスト部材が、圧縮バネ２Ｈの伸長可能範囲内で長手方向前方に押し出される（巨視的に動く）構造になっている。このような構造は、いわゆる上記「アクティベータ」において一般的に採用されている構造である。【００４７】
カイロプラクティック用アジャスター手段２の他の１例の内部構造の概略図を図９ｂに示す。図９ｂに示すアジャスター手段２は、図９ａのアジャスター手段２における圧縮バネ２Ｈが無く、スラストロッド２Ｇとスラストヘッド２Ａからなるスラスト部材がアジャスター手段２の本体に固定されている以外は、図９ａのアジャスター手段２と同じ構造を有している。図９ａに示すアジャスター手段２と異なり、図９ｂに示すアジャスター手段２は、上記「アトラス・オーソゴナル・テクニック」で用いるカイロプラクティック用装置において採用されている構造のように、スラスト部材がアジャスター手段２の本体に固定されているので、スラスト部材がアジャスター手段２の本体から独立して巨視的に動くことはない。このような構造を有する図９ｂに示すアジャスター手段２の場合においては、圧縮バネ２Ｅとスラスト駆動ブロック２Ｆからなる駆動部材によって、スラスト部材の後端に機械的インパルスを加えて、スラスト部材の後端から長手方向前方に伝達する圧力波としてのスラストを発生させ、それによって患者の体表面に圧力（スラスト）を加えるものである。図９ｂに示すアジャスター手段２の場合においては、スラスト部材が圧力波を伝達する効率を高める観点から、スラスト部材の材質は金属（鋼鉄など）であることが好ましい。【００４８】
アジャスター手段２の構造と作動原理は図９ａや図９ｂに示すものに限定されない。例えば、駆動原理としては、空気圧や油圧を利用する駆動原理や電磁力を利用する駆動原理など、カイロプラクティック用アジャスターの駆動原理として当業界で周知のあらゆる種類の駆動原理が利用できる。【００４９】
本発明第１態様のカイロプラクティック用装置１の第１の実施態様を作成するために用いる材料は、本発明の目的が達成される限り、特に限定されない。カイロプラクティック用アジャスター手段２を作成する材料としては、バネの材質は金属（鋼鉄など）が好ましい。アジャスター手段２のバネ以外の部品を作成する材料としては、例えば、プラスチック類（塩化ビニル樹脂、アクリル樹脂、ポリプロピレン、ポリカーボネートなど）、鋼鉄、ステンレス鋼、アルミニウムなどが挙げられる。触診用手段３、スライド手段４、支持手段５、保持手段６（把持可能な形状を有する）、引き金手段２Ｄを作成する材料としては、アジャスター手段２の部品を作成する材料として上記したのと同じ材料が挙げられる。【００５０】
触診用手段３の下側表面は触診の際やアジャスター手段２を作動させる際に患者の体表面に接触させるものである。触診の際に患者の皮膚の弛みをとり易くする観点、及び、触診によって決定したコンタクトポイントから触診孔３Ａがずれるのを防ぐ観点から、触診用手段３の下側表面（特に、触診孔３Ａの周辺部分）は患者の体表面に対して滑り易過ぎないことが望ましい。従って、触診用手段３の下側表面のうち少なくとも触診孔３Ａの周辺部分に小さい凹凸が多数形成（例えば、直径約１ｍｍの凹凸が１ｃｍ2当り１０個以上形成）されているか又は粗面化されていたり、触診用手段３の下側表面のうち少なくとも触診孔３Ａの周辺部分がゴムで形成されていることが好ましい。【００５１】
次に、本発明第１態様のカイロプラクティック用装置の第２の実施態様を詳しく説明する。【００５２】
上記のように、図３、図４、図６に示すように、本発明第１態様のカイロプラクティック用装置１の第２の実施態様においては、触診用手段（ii）と支持手段（iv）とが一体的に形成されており、箱型の触診／支持手段３３を構成している。箱型の触診／支持手段３３はその底部に触診孔３３Ａを有する（図４参照）。スライド手段（iii）も箱型の手段４４となっており、箱型のスライド手段４４は、その上部外表面でアジャスター手段２の先端部を保持する。箱型の触診／支持手段３３と箱型のスライド手段４４の構造の概略図をそれぞれ図１０の（ａ）と（ｂ）に示す。（図１０の（ａ）においては、箱型の触診／支持手段３３の上部壁の、アジャスター手段２を収容するための円筒状部分３３Ｂを省略してある。）保持手段６が指無し手袋形状であり、使用者の手を保持手段６に挿入することによりカイロプラクティック用装置１を使用者に保持している。本発明における「指無し手袋形状」とは、通常の手袋形状から指を収容する部分を取り除いた形状であり、手を挿入すると、少なくとも触診用の指の少なくとも先端部が露出する形状を意味する。指無し手袋形状の保持手段６は、紐状の連結手段６Ａにより箱型の触診／支持手段３３に取り付けてある。本発明第１態様のカイロプラクティック用装置１の第２の実施態様において、指無し手袋形状でない保持手段６を用いることもできる。例えば、本発明第１態様の装置１の第１の実施態様に上記したＵ字形（把持可能な形状の１例である）の保持手段６を用いることもできる。【００５３】
本発明第１態様の装置１の第１の実施態様の触診用手段３の下側表面における場合と同様に、第２の実施態様の箱型の触診／支持手段３３の底部の下側表面（触診用手段（ii）の下側表面）は触診の際やアジャスター手段２を作動させる際に患者の体表面に接触させるものである。触診の際に患者の皮膚の弛みをとり易くする観点、及び、触診によって決定したコンタクトポイントから触診孔３３Ａがずれるのを防ぐ観点から、箱型の触診／支持手段３３の下側表面（特に、触診孔３３Ａの周辺部分）は患者の体表面に対して滑り易過ぎないことが望ましい。従って、箱型の触診／支持手段３３の下側表面のうち少なくとも触診孔３３Ａの周辺部分に小さい凹凸が多数形成（例えば、直径約１ｍｍの凹凸が１ｃｍ2当り１０個以上形成）されているか又は粗面化されていたり、触診用手段３の下側表面のうち少なくとも触診孔３Ａの周辺部分がゴムで形成されていることが好ましい。図４に示す本発明第１態様の装置１の第２の実施態様では、箱型の触診／支持手段３３の底部の下側表面の触診孔３３Ａの全周にそってゴム製の円環形突起３３Ｄが設けられている。【００５４】
箱型の触診／支持手段３３の底部の下側表面の触診孔３３Ａのサイズや形状については、触診用手段３の触診孔３Ａのサイズや形状について上記した説明がそのまま当てはまる。【００５５】
図１０の（ａ）に示すように、箱型の触診／支持手段３３は、引き金手段２２Ｄを有している。引き金手段２２Ｄは、箱型の触診／支持手段３３の底部の内表面（触診用手段（ii）の上側表面）に配置されており、例えば、装置の外側に配置された線状体（図示しない）を介して、アジャスター手段２の引き金部材２Ｂ（図３参照）に連結されており、引き金手段２２Ｄを所定位置まで動かすことにより引き金部材２Ｂを操作可能である。或いは、カイロプラクティック用アジャスター手段２の引き金部材２Ｂに連結された有線又は無線通信手段（図示しない）を更に含み、引き金部材２Ｂが有線又は無線通信で操作可能であるように本発明第１態様の装置１を構成し、引き金手段２２Ｄを、引き金部材２Ｂを有線又は無線通信で操作するためのスイッチ（電子的引き金手段）とすることもできる。いうまでもなく、引き金手段２２Ｄが引き金部材２Ｂを有線又は無線通信で操作するためのスイッチ（電子的引き金手段）である場合は、引き金手段２２Ｄを箱型の触診／支持手段３３に設けなくてもよく、任意の位置に設けることができる。【００５６】
上記のように、本発明第１態様のカイロプラクティック用装置１の第２の実施態様においては、箱型のスライド手段４４が、箱型の触診／支持手段３３の底部の内表面（触診用手段（ii）の上側表面）をスライドするように構成されている（図６参照）。図１１は、箱型の触診／支持手段３３の内部での箱型のスライド手段４４のスライドの方向を示す概略図である。図１１においては、箱型のスライド手段４４を省略してあり、箱型のスライド手段４４のスライドの方向を、使用者の指Ｆの先端部の動きにより示している。図１１に示すように、使用者の指Ｆの先端部による触診（図１１の（ａ））を終えた後、使用者の指Ｆの先端部は、使用者の側から見て、まず右側の空間に移動し（図１１の（ｂ））、それから手前に移動する（図１１の（ｃ））。図１１の（ｃ）では、手前に移動する際に触診用の指Ｆで引き金手段２２Ｄを操作するように描いてある。引き２金手段２２Ｄを操作する指は、触診用の指Ｆと同じでもよいし異なっていてもよい。【００５７】
本発明第１態様のカイロプラクティック用装置１の第２の実施態様において用いるカイロプラクティック用アジャスター手段２としては、本発明第１態様のカイロプラクティック用装置１の第１の実施態様において用いるのと同じものを用いることができる。アジャスター手段２の引き金部材２Ｂを有線又は無線通信で操作するために用いられる機器についても、本発明第１態様のカイロプラクティック用装置１の第１の実施態様に関連して上記した説明がそのまま当てはまる。【００５８】
本発明第１態様のカイロプラクティック用装置１の第２の実施態様を作成するために用いる材料は、本発明の目的が達成される限り、特に限定されない。カイロプラクティック用アジャスター手段２を作成する材料としては、第１の実施態様の場合と同様の材料が使用できる。箱型の触診／支持手段３３、箱型のスライド手段４４、引き金手段２２Ｄを作成する材料としては、第１の実施態様における触診用手段３、スライド手段４、支持手段５、保持手段６（把持可能な形状を有する）、引き金手段２Ｄを作成する材料として上記したのと同様の材料（即ち、例えば、プラスチック類（塩化ビニル樹脂、アクリル樹脂、ポリプロピレン、ポリカーボネートなど）、鋼鉄、ステンレス鋼、アルミニウムなど）が挙げられる。保持手段６（指無し手袋形状を有する）を作成する材料としては、例えば、ポリウレタン繊維とナイロン繊維の混合した布や、綿などの天然繊維からなる布などが挙げられる。【００５９】
本発明第１態様のカイロプラクティック用装置を用いるカイロプラクティックの施術方法を以下に説明する。以下の説明は、本発明第１態様のカイロプラクティック用装置１の第１の実施態様と第２の実施態様のいずれにも当てはまるものである。【００６０】
通常の経験と技量を有するカイロプラクティック施術者（カイロプラクター）であれば、本発明のカイロプラクティック用装置を用いてカイロプラクティックの施術を容易に行なうことができる。また、従来のカイロプラクティック用装置（アジャスター）を使用した経験が無いカイロプラクターでも、本発明のカイロプラクティック用装置を容易に用いることができる。この点は、本発明第１態様〜第３態様のいずれのカイロプラクティック用装置を用いる場合にも当てはまる。【００６１】
以下に、本発明第１態様のカイロプラクティック用装置を用いるカイロプラクティックの施術方法の代表的な１例を説明するが、下記の施術方法に限定されるものではない。
本発明第１態様のカイロプラクティック用装置を用いるカイロプラクティックの施術方法の代表的な１例としては、下記工程（１）〜（５）：
（１）  保持手段（v）を介して本発明第１態様のカイロプラクティック用装置を使用者に保持し、
（２）  触診用手段（ii）の触診孔に使用者の触診用の指の先端部を通し、
（３）  患者の骨格における標的箇所に対応すると予想される体表面部分やその周囲の患者の皮膚を伸ばして弛みを取り除きながら、触診孔に通した使用者の触診用の指の先端部で患者の体表面から患者の骨格を触診することにより、患者の骨格における標的箇所を決定し、
（４）  触診用手段（ii）の触診孔と標的箇所との位置関係を維持しながら、触診孔から使用者の触診用の指を抜き、その指又は他の指でスライド手段（iii）をスライドさせて、スライド手段（iii）に保持されたカイロプラクティック用アジャスター手段（i）の先端部を触診孔まで移動させて、アジャスター手段（i）の先端部（スラストヘッド）を標的箇所に対応する患者の体表面部分に接触させ、且つ、スラスト部材の長手方向を該体表面部分に対して所定の角度に保持し、そして
（５）  引き金部材を操作してカイロプラクティック用アジャスター手段（i）を作動させる、
を含む操作を行い、但し、上記工程（１）と工程（２）はいずれの順序でも又は同時に行なってもよい、
ことを特徴とする方法が挙げられる。触診用の指は、拇指、示指、中指、薬指および小指のいずれでもよい。【００６２】
本発明のカイロプラクティック用装置を用いるカイロプラクティックの施術方法における触診は、触診用手段（ii）の触診孔に通した使用者の触診用の指の先端部を用いて触診を行なうという以外は、従来技術におけるカイロプラクティックの施術方法における触診方法と同様に行なうことができる。この点は、本発明第１態様〜第３態様のいずれのカイロプラクティック用装置を用いる場合にも当てはまる。従来技術におけるカイロプラクティックの施術方法における触診方法については、例えば、上記非特許文献１〜３に詳述されている。【００６３】
以下の点も、本発明第１態様〜第３態様のいずれのカイロプラクティック用装置を用いる場合にも当てはまる。触覚による照準機能を有する本発明のカイロプラクティック用装置を用いると、人体で最も鋭敏な指先で患者を触診してカイロプラクティックの施術（アジャストメント）を行なうべき箇所を決定した後、その箇所に正確にスラストを加えることができるので、アジャストメントをより効果的且つ効率的に行なうことができる。本発明のカイロプラクティック用装置は容易に持ち運び可能である。更に、本発明のカイロプラクティック用装置を用いると、使用者の両手を患者に接触させた状態でアジャストメントできるので、熟練者でなくても、脊椎・腰椎・骨盤・四肢の関節など、全身骨格中のどの骨に対しても、正確で効果的なアジャストメントを容易に行なうことができる。本発明のカイロプラクティック用装置を用いる施術の対象となる骨は特には限定が無く、一般にカイロプラクティックの施術対象となり得る全ての骨に対して施術することができる。本発明のカイロプラクティック用装置を用いる施術の対象となる骨の例としては、頚椎（Ｃ１〜Ｃ７）・胸椎（Ｔｈ１〜Ｔｈ１２）・腰椎（Ｌ１〜Ｌ５）・骨盤・四肢の関節からなる群より選ばれる骨を挙げることができる。【００６４】
（本発明の第２態様）
次に本発明第２態様について説明する。【００６５】
本発明第２態様は、カイロプラクティック用装置であって、
以下の手段（i）、（ii）、（iii）、（iv）及び（v）：
（i）カイロプラクティック用アジャスター手段であって、
該アジャスター手段の先端部を構成するスラストヘッドを有する長手方向に延びるスラスト部材、
該スラスト部材に長手方向前方へのスラストを与えるための駆動部材、及び
該駆動部材を作動させるための引き金部材、
を含むカイロプラクティック用アジャスター手段、
（ii）上側表面と下側表面を有し、それら両表面の間を貫通する触診孔を有する触診用手段、
（iii）該触診用手段の該上側表面に下端を取り付けられた可撓性アーム手段であり、該カイロプラクティック用アジャスター手段の該先端部を作動可能に保持する可撓性アーム手段、
（iv）該カイロプラクティック用アジャスター手段と該触診用手段とを相対運動可能に支持する支持手段、及び
（v）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該アジャスター手段の該先端部は、該可撓性アーム手段を該先端部から取り除くことにより、該触診用手段の該触診孔まで移動可能である、
ことを特徴とするカイロプラクティック用装置である。【００６６】
即ち、本発明の第２態様は、上記第１態様と実質的に同じ基本的構成を有するカイロプラクティック用装置であって、但し、第１態様における該スライド手段の代わりに、該触診用手段の該上側表面に下端を取り付けられた可撓性アーム手段であり、該アジャスター手段の該先端部を作動可能に保持する可撓性アーム手段を含むものであり、該アジャスター手段の該先端部は、該可撓性アーム手段を該先端部から取り除くことにより、該触診用手段の該触診孔まで移動可能である、ことを特徴とするカイロプラクティック用装置に関する。【００６７】
本発明の第２態様における可撓性アーム手段の構造や材質は、本発明の目的を達成できるものであれば特に限定されない。可撓性アーム手段の１例の概略図を図１２に示す。図１２に示す可撓性アーム手段４４４は、触診用手段３の上側表面に下端を取り付けられており、ジョイント部４４４Ｅと略半球状の保持部４４４Ｆを有している。ジョイント部４４４Ｅは可撓性を与える部分であり、保持部４４４Ｆはアジャスター手段２の先端部を作動可能に保持するための部分である。ジョイント部４４４Ｅは、例えばピボットジョイントなどでよいが、それに限定されない。図１２では、保持部４４４Ｆが上方向に開口した略半球状として描かれているが、このような形状に限定されない。可撓性アーム手段４４４の目的が達成できる限り、その保持部４４４Ｆはどのような形状を有していてもよいが、アジャスター手段２の先端部を効果的に保持するという観点からは、通常、可撓性アーム手段４４４の保持部４４４Ｆが凹凸部や溝部を有すること、及び／又は、可撓性アーム手段４４４の保持部４４４Ｆの少なくとも表面部分が、アジャスター手段２の先端部に対して高摩擦性を有する材料（即ち滑り止め効果を発揮する材料）からなることが好ましい。本発明の第２態様における可撓性アーム手段の構造や形状は図１２に示すものに限定されない。例えば、可撓性アーム手段を構成する材料は可撓性材料であってもよいし、可撓性材料でなくてもよい。可撓性材料の例としては、可撓性プラスチック類（塩化ビニル樹脂、ポリプロピレンなど）やゴムなどが挙げられる。非可撓性材料の例としては、非可撓性プラスチック類（ポリカーボネート、アクリル樹脂など）や金属（鋼鉄、ステンレス鋼、アルミニウムなど）などが挙げられる。可撓性アーム手段を可撓性材料で形成する場合は、可撓性アーム手段はジョイント部４４４Ｅを有してもよいし、有さなくてもよい。また、非可撓性材料からなるシートなどを折り曲げることなどにより、可撓性を示す形状に成形して、これから可撓性アーム手段を形成してもよいし、この場合も、可撓性アーム手段４４４はジョイント部４４４Ｅを有してもよいし、有さなくてもよい。可撓性アーム手段４４４は触診用手段３の上側表面に一体的に形成されていてもよいし、別部品として作成された可撓性アーム手段４４４の下端が触診用手段３の上側表面に取り付けられていてもよい。取り付け方法は特に限定されず、接着や融着、ねじ込み結合など、周知の方法が利用できる。可撓性アーム手段４４４の長軸に垂直な方向の断面形状は特に限定されないが、例えば、円形、楕円形、多角形、などが挙げられる。可撓性アーム手段４４４の長軸に垂直な方向の断面形状は、長軸に沿って同じでもよいし、変化していてもよい。【００６８】
可撓性アーム手段４４４を作成するために用いる材料を上記のように選択する以外は、本発明第２態様のカイロプラクティック用装置を作成するために用いる材料は、本発明第１態様のカイロプラクティック用装置１を作成するために用いる前記材料と同様である。【００６９】
可撓性アーム手段４４４をアジャスター手段２の先端部から取り除くことにより該先端部を触診用手段３の触診孔３Ａまで移動させるための動力源としては、アジャスター手段２の重量を用いる（即ち重力を用いる）こともできるし、バネなどを用いてもよい。このバネは、アジャスター手段２の構成部品の１つとして用いられ、アジャスター手段２の先端部だけを移動させるもの（例えば図９ａに示す圧縮バネ２Ｈ）でもよいし、また、アジャスター手段２の外部に取り付けられ、アジャスター手段２の全体を移動させるもの（図示しない）でもよい。可撓性アーム手段４４４をアジャスター手段２の先端部から取り除くことにより該先端部が移動する方向は下方向であるが、垂直に降下してもよいし、斜めに降下してもよい。【００７０】
本発明第２態様のカイロプラクティック用装置の操作方法を説明する。まず、本発明第１態様のカイロプラクティック用装置を使用する場合と同様にして、本発明第２態様のカイロプラクティック用装置を使用者に装着（保持）する。次に、図１２の（ａ）に示されるように、触診用手段３の触診孔３Ａに通した使用者の指Ｆの先端部で患者の体表面Ｐを触診して、アジャストメントを行う箇所を決定する。次に、図１２の（ｂ）に示されるように、可撓性アーム手段４４４の先端部４４４Ｇに使用者の指Ｆを係合させて可撓性アーム手段４４４を図１２の（ｂ）中に描かれる水平方向（即ち図１２の（ｂ）を正面から見て奥又は手前の方向）に動かしてアジャスター手段２の先端部から取り除き、こうして、図１２の（ｃ）に示されるように、アジャスター手段２の先端部を触診用手段３の触診孔３Ａまで移動させる（図１２の（ｃ）においては、可撓性アーム手段４４４の先端部４４４Ｇを図１２の（ｂ）の奥の方向に動かした結果を示す）。その後、アジャスター手段２を作動させる。（図１２では、アジャスター手段２の引き金部材２Ｂは省略してある。）指Ｆは、拇指、示指、中指、薬指および小指のいずれでもよい。可撓性アーム手段４４４に係合させて可撓性アーム手段４４４をアジャスター手段２の先端部から取り除くための指は、触診用の指Ｆと同じでもよいし異なっていてもよく、また、この指は１本でもよいし２本以上でもよい。図１２に示す態様ではアジャスター手段２の先端部を垂直に降下させているが、斜めに降下させるものでもよい。【００７１】
本発明第２態様のカイロプラクティック用装置を用いると、本発明第１態様のカイロプラクティック用装置１を用いてアジャストメントを行うのと同様の優れた効果を得ることができる。【００７２】
以下に、本発明第２態様のカイロプラクティック用装置を用いるカイロプラクティックの施術方法の代表的な１例を説明するが、下記の施術方法に限定されるものではない。
本発明第２態様のカイロプラクティック用装置を用いるカイロプラクティックの施術方法の代表的な１例としては、下記工程（１）〜（５）：
（１）  保持手段（v）を介して本発明第２態様のカイロプラクティック用装置を使用者に保持し、
（２）  触診用手段（ii）の触診孔に使用者の触診用の指の先端部を通し、
（３）  患者の骨格における標的箇所に対応すると予想される体表面部分やその周囲の患者の皮膚を伸ばして弛みを取り除きながら、触診孔に通した使用者の触診用の指の先端部で患者の体表面から患者の骨格を触診することにより、患者の骨格における標的箇所を決定し、
（４）  触診用手段（ii）の触診孔と標的箇所との位置関係を維持しながら、触診孔から使用者の触診用の指を抜き、その指又は他の指で可撓性アーム手段（iii）をカイロプラクティック用アジャスター手段（i）の先端部から取り除くことにより、アジャスター手段（i）の該先端部を触診孔まで垂直又は斜めに移動させて、アジャスター手段（i）の先端部（スラストヘッド）を標的箇所に対応する患者の体表面部分に接触させ、且つ、スラスト部材の長手方向を該体表面部分に対して所定の角度に保持し、そして
（５）  引き金部材を操作してカイロプラクティック用アジャスター手段（i）を作動させる、
を含む操作を行い、但し、上記工程（１）と工程（２）はいずれの順序でも又は同時に行なってもよい、
ことを特徴とする方法が挙げられる。触診用の指は、拇指、示指、中指、薬指および小指のいずれでもよい。【００７３】
（本発明の第３態様）
次に本発明第３態様について説明する。【００７４】
本発明第３態様は、カイロプラクティック用装置であって、
以下の手段（i）、（ii）、（iii）及び（iv）：
（i）カイロプラクティック用アジャスター手段であって、
該アジャスター手段の先端部を構成するスラストヘッドを有する長手方向に延びるスラスト部材、
該スラスト部材に長手方向前方へのスラストを与えるための駆動部材、
該駆動部材を作動させるための引き金部材、及び
指係合用部材、
を含むカイロプラクティック用アジャスター手段、
（ii）上側表面と下側表面を有し、それら両表面の間を貫通する触診孔を有する触診用手段、
（iii）該カイロプラクティック用アジャスター手段と該触診用手段とを相対運動可能に支持する支持手段、及び
（iv）該触診用手段と該支持手段からなる群より選ばれる少なくとも１つに取り付けられた、該カイロプラクティック用装置を使用者に保持するための保持手段、
を含み、そして
該触診用手段の該触診孔は、使用者の触診用の指の先端部と該アジャスター手段の該先端部のいずれもが通過可能であるサイズを有し、
該アジャスター手段の該先端部は、該アジャスター手段の該指係合用部材に指を係合させて該先端部を降下させることにより該触診用手段の該触診孔まで移動可能である、
ことを特徴とするカイロプラクティック用装置である。【００７５】
即ち、本発明の第３態様は、上記第１態様と実質的に同じ基本的構成を有するカイロプラクティック用装置であって、但し、第１態様における該スライド手段の代わりに、該アジャスター手段が指係合用部材を更に含み、該アジャスター手段の該先端部は、該アジャスター手段の該指係合用部材に指を係合させて該先端部を降下させることにより該触診用手段の該触診孔まで移動可能である、ことを特徴とするカイロプラクティック用装置に関する。【００７６】
本発明の第３態様におけるアジャスター手段（指係合用部材を含む）の構造や材質は、本発明の目的を達成できるものであれば特に限定されない。本発明の第３態様におけるアジャスター手段は、指係合用部材を含むこと以外は、本発明の第１態様におけるアジャスター手段と同じ構造や作動原理を有するものでよい。本発明の第３態様におけるアジャスター手段の１例の概略図を図１３に示す。図１３に示すアジャスター手段２２２は指係合用部材２２２Ｊを含む。図１３に示すアジャスター手段２２２の例においては、指係合用部材２２２Ｊは、アジャスター手段２２２の先端部付近の側面に設けられた凹部からなる。本発明の第３態様におけるアジャスター手段２２２の指係合用部材の構造は、指係合用部材に指を係合させてアジャスター手段２２２の先端部を降下させて触診用手段の触診孔まで移動させることができる限り限定されない。アジャスター手段２２２の指係合用部材は、例えば、アジャスター手段２２２の先端部付近の側面に設けられた（凹部ではなく）凸部や張り出し部からなるもの（図示しない）でもよい。アジャスター手段２２２の指係合用部材が凸部や張り出し部からなる場合は、凸部や張り出し部は、アジャスター手段２２２本体と一体的に形成されていてもよいし、凸部や張り出し部を形成するための部品がアジャスター手段２２２に取り付けられているものでもよい。凸部や張り出し部を形成するための部品の材料は、特に限定されないが、例えば、プラスチック類（塩化ビニル樹脂、アクリル樹脂、ポリプロピレン、ポリカーボネートなど）、鋼鉄、ステンレス鋼、アルミニウムなどが挙げられる。凸部や張り出し部を形成するための部品をアジャスター手段２２２に取付ける方法は特に限定されず、接着や融着、ねじ込み結合など、周知の方法が利用できる。【００７７】
アジャスター手段２２２（指係合用部材を含む）を作成するために用いる材料を上記説明に基づいて選択する以外は、本発明第３態様のカイロプラクティック用装置を作成するために用いる材料は、本発明第１態様のカイロプラクティック用装置１を作成するために用いる前記材料と同様である。【００７８】
本発明第３態様のカイロプラクティック用装置の操作方法を説明する。まず、本発明第１態様のカイロプラクティック用装置を使用する場合と同様にして、本発明第３態様のカイロプラクティック用装置を使用者に装着（保持）する。次に、図１３の（ａ）に示されるように、触診用手段３の触診孔３Ａに通した使用者の指Ｆの先端部で患者の体表面Ｐを触診して、アジャストメントを行う箇所を決定する。次に、図１３の（ｂ）に示されるように、アジャスター手段２２２の指係合用部材２２２Ｊに指を係合させてアジャスター手段２２２の先端部を降下させる。こうして、図１３の（ｃ）に示されるように、アジャスター手段２２２の先端部を触診用手段３の触診孔３Ａまで移動させる。指Ｆは、拇指、示指、中指、薬指および小指のいずれでもよい。アジャスター手段２２２の指係合用部材２２２Ｊに係合させてアジャスター手段２２２の先端部を降下させる指は、触診用の指Ｆと同じでもよいし異なっていてもよく、また、この指は１本でもよいし２本以上でもよい。図１３に示す態様ではアジャスター手段２２２の先端部を垂直に降下させているが、斜めに降下させるものでもよい。【００７９】
本発明第３態様のカイロプラクティック用装置を用いると、本発明第１態様のカイロプラクティック用装置１を用いてアジャストメントを行うのと同様の優れた効果を得ることができる。【００８０】
以下に、本発明第３態様のカイロプラクティック用装置を用いるカイロプラクティックの施術方法の代表的な１例を説明するが、下記の施術方法に限定されるものではない。
本発明第３態様のカイロプラクティック用装置を用いるカイロプラクティックの施術方法の代表的な１例としては、下記工程（１）〜（５）：
（１）  保持手段（iv）を介して本発明第３態様のカイロプラクティック用装置を使用者に保持し、
（２）  触診用手段（ii）の触診孔に使用者の触診用の指の先端部を通し、
（３）  患者の骨格における標的箇所に対応すると予想される体表面部分やその周囲の患者の皮膚を伸ばして弛みを取り除きながら、触診孔に通した使用者の触診用の指の先端部で患者の体表面から患者の骨格を触診することにより、患者の骨格における標的箇所を決定し、
（４）  触診用手段（ii）の触診孔と標的箇所との位置関係を維持しながら、触診孔から使用者の触診用の指を抜き、その指又は他の指をカイロプラクティック用アジャスター手段（i）の指係合用部材に係合させてアジャスター手段（i）の先端部を垂直又は斜めに降下させることにより、アジャスター手段（i）の該先端部を触診孔まで移動させて、アジャスター手段（i）の先端部（スラストヘッド）を標的箇所に対応する患者の体表面部分に接触させ、且つ、スラスト部材の長手方向を該体表面部分に対して所定の角度に保持し、そして
（５）  引き金部材を操作してカイロプラクティック用アジャスター手段（i）を作動させる、
を含む操作を行い、但し、上記工程（１）と工程（２）はいずれの順序でも又は同時に行なってもよい、
ことを特徴とする方法が挙げられる。触診用の指は、拇指、示指、中指、薬指および小指のいずれでもよい。
【産業上の利用可能性】
【００８１】
触覚による照準機能を有する本発明のカイロプラクティック用装置を用いると、人体で最も鋭敏な指先で患者を触診してカイロプラクティックの施術（アジャストメント）を行なうべき箇所を決定した後、その箇所に正確にスラストを加えることができるので、アジャストメントをより効果的且つ効率的に行なうことができる。本発明のカイロプラクティック用装置は容易に持ち運び可能である。更に、本発明のカイロプラクティック用装置を用いると、使用者の両手を患者に接触させた状態でアジャストメントできるので、熟練者でなくても、脊椎・腰椎・骨盤・四肢の関節など、全身骨格中のどの骨に対しても、正確で効果的なアジャストメントを容易に行なうことができる。本発明のカイロプラクティック用装置を用いる施術の対象となる骨は特には限定が無く、一般にカイロプラクティックの施術対象となり得る全ての骨に対して施術することができる。本発明のカイロプラクティック用装置を用いる施術の対象となる骨の例としては、頚椎（Ｃ１〜Ｃ７）・胸椎（Ｔｈ１〜Ｔｈ１２）・腰椎（Ｌ１〜Ｌ５）・骨盤・四肢の関節からなる群より選ばれる骨を挙げることができる。
【図１】
2011016150.tif 000003
【図２】
2011016150.tif 000004
【図３】
2011016150.tif 000005
【図４】
2011016150.tif 000006
【図５】
2011016150.tif 000007
【図６】
2011016150.tif 000008
【図７】
2011016150.tif 000009
【図８】
2011016150.tif 000010
【図９ａ】
2011016150.tif 000011
【図９ｂ】
2011016150.tif 000012
【図１０】
2011016150.tif 000013
【図１１】
2011016150.tif 000014
【図１２】
2011016150.tif 000015
【図１３】
2011016150.tif 000016
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
カイロプラクティック用装置（１）であって、
以下の手段（i）、（ii）、（iii）、（iv）及び（v）：
（i）カイロプラクティック用アジャスター手段（２）であって、
該アジャスター手段（２）の先端部（２Ａ）を構成するスラストヘッドを有する長手方向に延びるスラスト部材（２Ｇと２Ａ）、
該スラスト部材（２Ｇと２Ａ）に長手方向前方へのスラストを与えるための駆動部材（２Ｅと２Ｆ）、及び
該駆動部材（２Ｅと２Ｆ）を作動させるための引き金部材（２Ｂ）、
を含むカイロプラクティック用アジャスター手段（２）、
（ii）上側表面と下側表面を有し、それら両表面の間を貫通する触診孔（３Ａまたは３３Ａ）を有する触診用手段（３または３３）、
（iii）該触診用手段（３または３３）の該上側表面に配置され、該上側表面をスライド可能なスライド手段（４または４４）であり、該カイロプラクティック用アジャスター手段（２）の該先端部（２Ａ）を作動可能に保持するスライド手段（４または４４）、
（iv）該カイロプラクティック用アジャスター手段（２）と該触診用手段（３または３３）とを相対運動可能に支持する支持手段（５または３３）、及び
（v）該触診用手段（３または３３）と該支持手段（５または３３）からなる群より選ばれる少なくとも１つに取り付けられた、該カイロプラクティック用装置（１）を使用者に保持するための保持手段（６）、
を含み、そして
該触診用手段（３または３３）の該触診孔（３Ａまたは３３Ａ）は、使用者の触診用の指（Ｆ）の先端部と該アジャスター手段（２）の該先端部（２Ａ）のいずれもが通過可能であるサイズを有し、
該スライド手段（４または４４）に保持された該アジャスター手段（２）の該先端部（２Ａ）は、該スライド手段（４または４４）をスライドさせることにより、該触診用手段（３または３３）の該触診孔（３Ａまたは３３Ａ）まで移動可能である、
ことを特徴とするカイロプラクティック用装置（１）。
【請求項２】
カイロプラクティック用装置（１）であって、
以下の手段（i）、（ii）、（iii）、（iv）及び（v）：
（i）カイロプラクティック用アジャスター手段（２）であって、
該アジャスター手段（２）の先端部（２Ａ）を構成するスラストヘッドを有する長手方向に延びるスラスト部材（２Ｇと２Ａ）、
該スラスト部材（２Ｇと２Ａ）に長手方向前方へのスラストを与えるための駆動部材（２Ｅと２Ｆ）、及び
該駆動部材（２Ｅと２Ｆ）を作動させるための引き金部材（２Ｂ）、
を含むカイロプラクティック用アジャスター手段（２）、
（ii）上側表面と下側表面を有し、それら両表面の間を貫通する触診孔（３Ａ）を有する触診用手段（３）、
（iii）該触診用手段（３）の該上側表面に下端を取り付けられた可撓性アーム手段（４４４）であり、該カイロプラクティック用アジャスター手段（２）の該先端部（２Ａ）を作動可能に保持する可撓性アーム手段（４４４）、
（iv）該カイロプラクティック用アジャスター手段（２）と該触診用手段（３）とを相対運動可能に支持する支持手段（５）、及び
（v）該触診用手段（３）と該支持手段（５）からなる群より選ばれる少なくとも１つに取り付けられた、該カイロプラクティック用装置（１）を使用者に保持するための保持手段（６）、
を含み、そして
該触診用手段（３）の該触診孔（３Ａ）は、使用者の触診用の指（Ｆ）の先端部と該アジャスター手段（２）の該先端部（２Ａ）のいずれもが通過可能であるサイズを有し、
該アジャスター手段（２）の該先端部（２Ａ）は、該可撓性アーム手段（４４４）を該先端部（２Ａ）から取り除くことにより、該触診用手段（３）の該触診孔（３Ａ）まで移動可能である、
ことを特徴とするカイロプラクティック用装置（１）。
【請求項３】
カイロプラクティック用装置（１）であって、
以下の手段（i）、（ii）、（iii）及び（iv）：
（i）カイロプラクティック用アジャスター手段（２２２）であって、
該アジャスター手段の先端部（２Ａ）を構成するスラストヘッドを有する長手方向に延びるスラスト部材（２Ｇと２Ａ）、
該スラスト部材（２Ｇと２Ａ）に長手方向前方へのスラストを与えるための駆動部材（２Ｅと２Ｆ）、
該駆動部材（２Ｅと２Ｆ）を作動させるための引き金部材（２Ｂ）、及び
指係合用部材（２２２Ｊ）、
を含むカイロプラクティック用アジャスター手段（２２２）、
（ii）上側表面と下側表面を有し、それら両表面の間を貫通する触診孔（３Ａ）を有する触診用手段（３）、
（iii）該カイロプラクティック用アジャスター手段（２２２）と該触診用手段（３）とを相対運動可能に支持する支持手段（５）、及び
（iv）該触診用手段（３）と該支持手段（５）からなる群より選ばれる少なくとも１つに取り付けられた、該カイロプラクティック用装置（１）を使用者に保持するための保持手段（６）、
を含み、そして
該触診用手段（３）の該触診孔（３Ａ）は、使用者の触診用の指（Ｆ）の先端部と該アジャスター手段（２２２）の該先端部（２Ａ）のいずれもが通過可能であるサイズを有し、
該アジャスター手段（２２２）の該先端部（２Ａ）は、該アジャスター手段（２２２）の該指係合用部材（２２２Ｊ）に指（Ｆ）を係合させて該先端部（２Ａ）を降下させることにより該触診用手段（３）の該触診孔（３Ａ）まで移動可能である、
ことを特徴とするカイロプラクティック用装置（１）。
【請求項４】
該スライド手段（４または４４）の表面に配置された引き金手段（２Ｄ）を更に含み、該カイロプラクティック用アジャスター手段（２）の該引き金部材（２Ｂ）が線状体（２Ｃ）を介して該引き金手段（２Ｄ）に連結されており、該引き金手段（２Ｄ）を所定位置まで動かすことにより該引き金部材（２Ｂ）を操作可能であることを特徴とする請求項１に記載のカイロプラクティック用装置（１）。
【請求項５】
該触診用手段（３または３３）の該上側表面に配置され、該上側表面をスライド可能なスライド引き金手段（２２Ｄ）を更に含み、該カイロプラクティック用アジャスター手段（２または２２２）の該引き金部材（２Ｂ）が線状体（２Ｃ）を介して該スライド引き金手段（２２Ｄ）に連結されており、該スライド引き金手段（２２Ｄ）を所定位置までスライドさせることにより該引き金部材（２Ｂ）を操作可能であることを特徴とする請求項１〜３のいずれかに記載のカイロプラクティック用装置（１）。
【請求項６】
該カイロプラクティック用アジャスター手段（２または２２２）の該引き金部材（２Ｂ）に連結された有線又は無線通信手段を更に含み、該引き金部材（２Ｂ）が有線又は無線通信で操作可能であることを特徴とする請求項１〜３のいずれかに記載のカイロプラクティック用装置（１）。
【請求項７】
該保持手段（６）が使用者により把持可能な形状を有することを特徴とする請求項１〜６のいずれかに記載のカイロプラクティック用装置（１）。
【請求項８】
該保持手段（６）が、使用者の手又は手首に係合可能なベルト部材を有することを特徴とする請求項７に記載のカイロプラクティック用装置（１）。
【請求項９】
該保持手段（６）が指無し手袋形状であり、使用者の手を該保持手段（６）に挿入することにより該カイロプラクティック用装置（１）を使用者に保持可能であることを特徴とする請求項１〜６のいずれかに記載のカイロプラクティック用装置（１）。
【手続補正２】
【補正対象書類名】明細書
【補正対象項目名】００３３
【補正方法】変更
【補正の内容】
【００３３】
本発明第１態様のカイロプラクティック用装置１の第２の実施態様（図３と図４に示す）の操作方法を図６に示す。図３、図４、図６に示すように、本発明第１態様のカイロプラクティック用装置の第２の実施態様においては、触診用手段（ii）と支持手段（iv）とが一体的に形成されており、箱型の触診／支持手段３３を構成している。箱型の触診／支持手段３３はその底部に触診孔３３Ａを有する（図４参照）。スライド手段（iii）も箱型の手段４４となっており、箱型のスライド手段４４は、その上部外表面でアジャスター手段２の先端部を保持する。箱型のスライド手段４４が、箱型の触診／支持手段３３の底部の内表面（触診用手段（ii）の上側表面）をスライドするように構成されている。図３と図６に示すように、箱型の触診／支持手段３３の上部壁には、アジャスター手段２を収容する円筒状部分３３Ｂがあり、この円筒状部分３３Ｂの箱型の触診／支持手段３３の上部壁に対する角度が、蛇腹構造などにより調節可能であり、この角度を調節することにより、アジャスター手段２を作動させる際のスラスト方向の患者の体表面に対する角度を調節することができる。図３においては、円筒状部分３３Ｂの箱型の触診／支持手段３３の上部壁に対する角度がおよそ４５度に調節してある状態を示している。円筒状部分３３Ｂの上端部は、アジャスター手段２を保持するための保持用ネジ３３Ｃを有する。
【手続補正３】
【補正対象書類名】明細書
【補正対象項目名】００４４
【補正方法】変更
【補正の内容】
【００４４】
アジャスター手段２の引き金部材２Ｂを有線又は無線通信で操作するために用いられる機器（即ち、引き金部材２Ｂに連結される有線又は無線通信手段、及びそれと共に用いるのスイッチ（電子的引き金手段））については、種々の業界で周知の電気・電子工学技術に基づいて容易に作成することができ、また、市販品を容易に入手できる。有線通信で操作するために用いることのできる市販の機器としては、例えば、ＴＧＡ−mini（日本国 トキ・コーポレーション株式会社 製)などを挙げることができる。有線又は無線通信で操作するために用いることのできる機器の設計・作成を委託できる業者としては、例えば、日本国 株式会社 小杉技研、日本国 大阪自動電機株式会社、日本国 アイテック株式会社などを挙げることができる。
【国際調査報告】
2011016150.tif 000017
2011016150.tif 000018
2011016150.tif 000019
2011016150.tif 000020